(57)【要約】      （修正有）【課題】帽体内への外気導入を額相当部位に設定して換気効率に優れたヘルメットを提供する。【解決手段】帽体１に小型送風機３を装備すると共に該小型送風機３の起動により発生する送風を帽体１正面の額相当部位に穿設してなる通気孔２を経て帽体１内に導入するようになし、かつ、帽体１の頭頂相当部位にソーラーパネル７を装備すると共に該帽体にソーラーパネル７による太陽光発電を蓄電し得るバッテリーを装備し、該バッテリーからの給電によって前記小型送風機３を適宜に起動できるように構成した。【選択図】図２
0003175931.tif 000002
【実用新案登録請求の範囲】
【請求項１】
帽体１に小型送風機３を装備すると共に該小型送風機３の起動により発生する送風を帽体１正面の額相当部位に穿設してなる通気孔２を経て帽体１内に導入するようになし、かつ、帽体１の頭頂相当部位にソーラーパネル７を装備すると共に該帽体にソーラーパネル７による太陽光発電を蓄電し得るバッテリー６を装備し、該バッテリー６からの給電によって前記小型送風機３を適宜に起動できるように構成したことを特徴とするヘルメット。
【考案の詳細な説明】
【技術分野】
【０００１】
本考案は、外気を導入して帽体内の強制換気を可能とし得るヘルメットに関するものである。
【背景技術】
【０００２】
ヘルメットを着装しての特に日照下での屋外作業にあっては、帽体内は高温多湿の不快な蒸れ状態となり易く、熱射病、日射病、その他熱中症（暑熱障害）に陥るおそれが存する。
【０００３】
従来、その対策として帽体内に外気の導入を促す換気手段を設けたヘルメットが提案されているが、かかる従来のこの種ヘルメットは、構造が複雑であり、帽体内に導入した外気の流路が効率的に考慮されている設計とは言い得ず、換気効率に問題があったと言わざるを得ないものであった。
【先行技術文献】
【特許文献】
【０００４】
【特許文献１】特開２００４−８４０９８
【考案の概要】
【考案が解決しようとする課題】
【０００５】
本校案は、如上の問題点に鑑みてこれを解決すべく案出したものであって、帽体内への外気導入を額相当部位に設定して換気効率に優れたヘルメットを提供することを目的とするものである。
【課題を解決するための手段】
【０００６】
本考案に係るヘルメットは、帽体１に小型送風機３を装備すると共に該小型送風機３の起動により発生する送風を帽体１正面の額相当部位に穿設してなる通気孔２を経て帽体１内に導入するようになし、かつ、帽体１の頭頂相当部位にソーラーパネル８を装備すると共に該帽体にソーラーパネル８による太陽光発電を蓄電し得るバッテリー７を装備し、該バッテリー７からの給電によって前記小型送風機３を適宜に起動できるように構成したことを最も主要な特徴とするものである。
【考案の効果】
【０００７】
本考案に係るヘルメットは、小型送風機による帽体内への外気導入をその額相当部位に穿設した通気孔から行うことから、その外気はヘルメット着装者の額乃至頭頂部に亘って流入して帽体内の換気を高効率に行うことができ、高い快適性を確保することができ、また、小型送風機の起動電源は、バッテリーにおける蓄電によると共にソーラーパネルによる太陽光発電をも利用するものであるから、省エネ、自然環境に配慮したエコに資するという利点がある。
【図面の簡単な説明】
【０００８】
【図１】図１は、本考案ヘルメットの正面図である。
【図２】図２は、本考案ヘルメットの小型送風機カバー体を取り外した状態の正面図である。
【図３】図３は、本考案ヘルメットの平面図である。
【図４】図４は、本考案ヘルメットの側面図である。
【図５】図５は、本考案ヘルメットの背面図である。
【考案を実施するための形態】
【０００９】
本考案は、帽体１内への小型送風機３による外気導入をその額相当部位に穿設した通気孔２から行い、そして、バッテリー７に接続してなるソーラーパネル８を帽体１の頭頂相当部位に装備することで帽体１内の換気効率を高めての快適性の確保と太陽光発電によるエコ化を実現したものである。
【実施例１】
【００１０】
図２に例示するように、帽体１における額相当部位に通気孔２を穿設すると共に当該通気孔２の直下に小型送風機３をその吹出し口４が通気孔２に臨むように配設している。
【００１１】
上記の通気孔２は、図２に図示するように横長のスリット状に適宜数穿設している。これは、通気孔２の穿設によって帽体１における最重要な額相当部位の保安強度を極力減少せしめないための設計である。帽体１の強度への配慮を要しない等の場合にあっては、当該通気孔２を円、楕円等の任意形状に設定することは何ら差し支えないものである。
【００１２】
その上で、上記した通気孔２及び小型送風機３の両者を囲繞するように送風機カバー体５を当該部位に一体的に嵌合装着している。該送風機カバー体５の底部には空気取り入れ口（図示省略）を下向きに開口している。
【００１３】
上記の構成により、小型送風機３を起動させた場合、送風機カバー体５の底部の空気取り入れ口から導入し得る外気を該小型送風機３の吹出し口４から通気孔２を経て帽体１内に送風することができる。
【００１４】
帽体１の後頭相当部位には、小型送風機３の起動電源となるバッテリー６が配備されている。該バッテリー６は、そのバッテリー本体を任意に出し入れでき交換可能としていると共に小型送風機３を任意に起動させるためのオンオフスイッチ（図示省略）を設けている。該バッテリー６の配設位置は、帽体１の後頭相当部位に限るものではなく、帽体１の外側面等の適宜位置を選定することができる。
【００１５】
また、帽体１の頭頂相当部位には、ソーラーパネル７を装備している。該ソーラーパネル７は太陽光発電により得た電力を前記バッテリー６に蓄電可能に構成される。
【００１６】
該ソーラーパネル７はその形態を問うものではないが、可撓性に富む種類のソーラーパネル７を採用することによって帽体１の球曲面状に沿って一体化して曲成装備することができ、デザインの観点からも、使い勝手の観点からも望ましいといえる。
【００１７】
尚、小型送風機３とバッテリー６との間の電気配線、及び、バッテリー７とソーラーパネル８との間の各電気配線（図示省略）は、帽体１の外面に露出させることなく帽体１の内面に這わせるようにして配設することが望ましい。
【００１８】
上記の構成になる本考案に係るヘルメットは、屋外作業時にこれを使用すれば、小型送風機３を起動させることによって帽体１内に外気を導入して帽体１内の強制換気を行うことができる。しかも、その外気をヘルメット着装者の額乃至頭頂に亘って導入できるので、喚起効率がよく、高い快適性を確保することができる。
【００１９】
更に、小型送風機３の起動電源として、帽体１の頭頂相当部位に装備したソーラーパネル７による太陽光発電をも利用し得るので、省エネ、エコにも資するものである。
【００２０】
本考案は、上述のように構成されていることから、屋外作業における殊に日照下にあっては、日射病、熱射病、その他熱中症（暑熱障害）を未然に防止する上できわめて好適であり、日照のない場合には、バッテリー６の蓄電を利用して給電することができ、優れた実用的効果を奏する。
【符号の説明】
【００２１】
１    帽体
２    通気口
３    小型送風機
４    吹出し口
５    送風機カバー体
６    バッテリー
７    ソーラーパネル
【図１】
0003175931.tif 000003
【図２】
0003175931.tif 000004
【図３】
0003175931.tif 000005
【図４】
0003175931.tif 000006
【図５】
0003175931.tif 000007